(57)【特許請求の範囲】
【請求項１】
放送局から送信される周波数帯域の異なる複数チャンネルの番組に関する番組信号を、受信可能な受信装置であって、
受信した番組信号に対して信号処理をする第１信号処理手段であって、集積回路から成る第１信号処理手段と、
第１信号処理手段の下流側に配設され、第１信号処理手段から出力される信号に対して信号処理をする第２信号処理手段であって、集積回路から成る第２信号処理手段と、
第１および第２信号処理手段に対して信号処理をさせるための予め定める指令を与える制御手段とを含み、
第１信号処理手段は、
複数チャンネルの番組信号のうち、第１の周波数帯域の番組信号を通過させる第１フィルタ手段と、
第１フィルタ手段から出力される番組信号を増幅する増幅手段と、
増幅手段から出力される番組信号をチャンネル毎に分配する分配手段と、
予め定める発振周波数の発振信号を生成する発振信号生成手段と、
分配手段によって分配された各チャンネルの番組信号と、発振信号生成手段によって生成される発振信号とを混合して混合信号を生成する混合信号生成手段と、
混合信号生成手段によって生成される混合信号の利得を制御する利得制御手段と、
利得制御手段から出力される混合信号のうち、第２の周波数帯域の混合信号を通過させる第２フィルタ手段とを有し、
第２信号処理手段は、
第２フィルタ手段から出力される混合信号をデジタル信号に変換する変換手段と、
変換手段から出力されるデジタル信号のうち、第３の周波数帯域のデジタル信号を通過させる第３フィルタ手段と、
第３フィルタ手段から出力されるデジタル信号を復調する復調手段とを有し、
前記第１フィルタ手段の通過周波数帯域幅は、所定の複数チャンネルの番組信号を含むように外部から制御可能であることを特徴とする受信装置。
【請求項２】
前記復調手段は、デジタル信号処理装置であることを特徴とする請求項１記載の受信装置。
【請求項３】
前記第１フィルタ手段の通過周波数帯域幅、変換手段の変換信号レベルおよび第３フィルタ手段の通過信号レベルの少なくともいずれか１つを変更可能に構成されることを特徴とする請求項１記載の受信装置。
【請求項４】
前記変換手段は、デルタシグマアナログデジタル変換器であることを特徴とする請求項１記載の受信装置。
【請求項５】
前記混合信号生成手段は、ダイレクトコンバージョン方式によって、番組信号から混合信号に周波数変換することを特徴とする請求項１記載の受信装置。
【請求項６】
前記制御手段は、前記第１フィルタ手段の通過周波数帯域幅が、番組信号の最小受信周波数の２倍以下の周波数帯域幅および番組信号の最大受信周波数の１／２以下の周波数帯域幅のうちいずれか小さい方の周波数帯域幅になるように、第１フィルタ手段を制御することを特徴とする請求項１記載の受信装置。
【請求項７】
前記増幅手段の下流側でかつ分配手段の上流側に配設される他の混合信号生成手段および他の発振信号生成手段をさらに備え、
前記他の発振信号生成手段は発振信号を生成する機能を有し、
前記他の混合信号生成手段は、増幅手段から出力される番組信号と、前記他の発振信号生成手段で生成された発振信号とを混合して混合信号を生成することを特徴とする請求項１〜６のいずれか１つに記載の受信装置。
【請求項８】
前記混合信号生成手段はパッシブミキサ回路によって構成され、前記他の混合信号生成手段はアクティブミキサ回路によって構成されることを特徴とする請求項７記載の受信装置。
【請求項９】
請求項１〜８のいずれか１つに記載の受信装置を搭載することを特徴とする情報記録出力装置。
【発明の詳細な説明】
【技術分野】
【０００１】
本発明は、たとえば放送局から送信される複数チャンネルの番組情報を受信し、受信した番組情報を表示装置および記録装置に出力することが可能な受信装置およびこれを備える情報記録出力装置に関する。
【背景技術】
【０００２】
近年、地上アンテナを用いる地上波放送、放送衛星（Broadcasting Satellite；略称：ＢＳ）を用いるＢＳ放送、通信衛星（Communication Satellite；略称：ＣＳ）を用いるＣＳ放送、およびケーブルテレビ（Community Antenna Television；略称：ＣＡＴＶ）放送などの拡充によって、放送の多チャンネル化が進んでいる。放送の多チャンネル化に伴い、番組情報を記録するためのハードディスクレコーダなどの記録装置の記録容量は向上されてきており、放送局から同一時刻に送信される番組情報を同時に記録可能なチャンネル数が増加している。
【０００３】
放送技術および記録装置の発展に伴い、複数チャンネルの番組情報を同時に受信し、テレビジョン受信機およびプロジェクタ装置などの表示装置ならびにハードディスクレコーダなどの記録装置に対して、受信した番組情報を同時に出力することが可能なチューナを備える受信装置の開発が要望されている。このような状況にある受信装置に関する従来技術として、特許文献１〜４に示されるような技術が知られている。
【０００４】
特許文献１に記載のマルチチューナ型受信機は、１つのモジュールに２つのチューナを備えており、２つのチューナにおける発振周波数が、対応する他のチューナが受信した信号の無線周波数もしくはその高調波に同調させないようにして、２つのチューナの相互干渉を防ぐように構成される。
【０００５】
特許文献２に記載のＩＣ化受信装置は、チューナ回路の高周波回路部を、高周波特性および３次歪特性に優れたＧａＡｓの電界効果トランジスタを用いて、ＲＦ増幅ＩＣとＡＧＣミキサＩＣとの２チップ構成とすることによって、３次歪特性に優れ、部品点数が少ない小形のチューナ回路が得られるように構成される。
【０００６】
特許文献３に記載のディジタルチューナでは、チューナによって、ＣＰＵの制御の下に、操作者によって指定されたチャンネルとこのチャンネルに順方向、換言するとチャンネルの切換えの方向に隣接するチャンネルとを交互に切換え、アンテナから供給される両チャンネルの映像／音声信号を並行して受信するように構成される。
【０００７】
特許文献４に記載のテレビジョンチューナでは、複数のテレビジョンチューナが、マザー基板に並べて配設される。各チューナでは、入力されたテレビジョン信号が、第一の広帯域増幅器によって増幅され、この増幅されたテレビジョン信号が、分配器によって２方向に分配されるように構成される。
【０００８】
【特許文献１】特表２０００−５１３８９６号公報
【特許文献２】特開平６−６９８２９号公報
【特許文献３】特開平１０−２９４９３０号公報
【特許文献４】実用新案登録第３１００２１３号公報
【発明の開示】
【発明が解決しようとする課題】
【０００９】
前記特許文献４に示す従来技術では、チューナに入力されたテレビジョン信号が、分配器で分配されると、分配数に比例して信号レベルが減衰し、いわゆる分配損失が大きくなる。したがって分配損失を補正するためのバルントランス、増幅用トランジスタおよびフィルタなどの個別部品を用いた補正回路を、テレビジョンチューナに設ける必要がある。しかし、個別部品の部品定数の絶対値にばらつきが生じるために、チューナの受信感度を高くしなければならず、高性能でかつ高価な高周波部品を採用する必要があるので、製造コストが増大するという問題がある。
【００１０】
また特許文献４に示す従来技術は、前記補正回路とともに金属性の筐体でシールドされた複数のテレビジョンチューナを並べて配設するように構成されるので、チューナを含む受信装置の回路規模が増大するという問題がある。また受信装置の回路規模の増大に伴って、受信装置の消費電力が増加するという問題がある。
【００１１】
本発明の目的は、信号の受信感度を向上し、製造コストおよび消費電力を低減することができる受信装置および情報記録出力装置を提供することである。
【課題を解決するための手段】
【００１２】
本発明は、放送局から送信される周波数帯域の異なる複数チャンネルの番組に関する番組信号を、受信可能な受信装置であって、
受信した番組信号に対して信号処理をする第１信号処理手段であって、集積回路から成る第１信号処理手段と、
第１信号処理手段の下流側に配設され、第１信号処理手段から出力される信号に対して信号処理をする第２信号処理手段であって、集積回路から成る第２信号処理手段と、
第１および第２信号処理手段に対して信号処理をさせるための予め定める指令を与える制御手段とを含み、
第１信号処理手段は、
複数チャンネルの番組信号のうち、第１の周波数帯域の番組信号を通過させる第１フィルタ手段と、
第１フィルタ手段から出力される番組信号を増幅する増幅手段と、
増幅手段から出力される番組信号をチャンネル毎に分配する分配手段と、
予め定める発振周波数の発振信号を生成する発振信号生成手段と、
分配手段によって分配された各チャンネルの番組信号と、発振信号生成手段によって生成される発振信号とを混合して混合信号を生成する混合信号生成手段と、
混合信号生成手段によって生成される混合信号の利得を制御する利得制御手段と、
利得制御手段から出力される混合信号のうち、第２の周波数帯域の混合信号を通過させる第２フィルタ手段とを有し、
第２信号処理手段は、
第２フィルタ手段から出力される混合信号をデジタル信号に変換する変換手段と、
変換手段から出力されるデジタル信号のうち、第３の周波数帯域のデジタル信号を通過させる第３フィルタ手段と、
第３フィルタ手段から出力されるデジタル信号を復調する復調手段とを有し、
前記第１フィルタ手段の通過周波数帯域幅は、所定の複数チャンネルの番組信号を含むように外部から制御可能であることを特徴とする受信装置である。
また本発明は、前記復調手段は、デジタル信号処理装置であることを特徴とする。
【００１３】
また本発明は、前記第１フィルタ手段の通過周波数帯域幅、変換手段の変換信号レベルおよび第３フィルタ手段の通過信号レベルの少なくともいずれか１つを変更可能に構成されることを特徴とする。
【００１４】
また本発明は、前記変換手段は、デルタシグマアナログデジタル変換器であることを特徴とする。
【００１５】
また本発明は、前記混合信号生成手段は、ダイレクトコンバージョン方式によって、番組信号から混合信号に周波数変換することを特徴とする。
【００１６】
また本発明は、前記制御手段は、前記第１フィルタ手段の通過周波数帯域幅が、番組信号の最小受信周波数の２倍以下の周波数帯域幅および番組信号の最大受信周波数の１／２以下の周波数帯域幅のうちいずれか小さい方の周波数帯域幅になるように、第１フィルタ手段を制御することを特徴とする。
【００１７】
また本発明は、前記増幅手段の下流側でかつ分配手段の上流側に配設される他の混合信号生成手段および他の発振信号生成手段をさらに備え、
前記他の発振信号生成手段は発振信号を生成する機能を有し、
前記他の混合信号生成手段は、増幅手段から出力される番組信号と、前記他の発振信号生成手段で生成された発振信号とを混合して混合信号を生成することを特徴とする。
【００１８】
また本発明は、前記混合信号生成手段はパッシブミキサ回路によって構成され、前記他の混合信号生成手段はアクティブミキサ回路によって構成されることを特徴とする。
また本発明は、前記受信装置を搭載することを特徴とする情報記録出力装置である。
【発明の効果】
【００１９】
本発明によれば、集積回路から成る第１信号処理手段が、放送局から送信される周波数帯域の異なる複数チャンネルの番組に関する番組信号に対して信号処理をする。そして、制御手段から与えられる予め定める指令に従って、第１信号処理手段の下流側に配設され、かつ集積回路から成る第２信号処理手段が、第１信号処理手段から出力される信号に対して信号処理をする。
【００２０】
第１信号処理手段では、複数チャンネルの番組信号のうち、第１の周波数帯域の番組信号が第１フィルタ手段を通過し、増幅手段によって増幅される。増幅手段から出力される番組信号は、分配手段によってチャンネル毎に分配される。発振信号生成手段によって、予め定める発振周波数の発振信号が生成される。分配手段によって分配された各チャンネルの番組信号と、発振信号生成手段によって生成される発振信号とは、混合信号生成手段によって混合されて混合信号が生成される。混合信号生成手段によって生成される混合信号の利得は、利得制御手段によって制御される。利得制御手段から出力される混合信号のうち、第２の周波数帯域の混合信号は、第２フィルタ手段を通過する。
【００２１】
第２信号処理手段では、第１信号処理手段の第２フィルタ手段から出力される混合信号が、変換手段によってデジタル信号に変換される。変換手段から出力されるデジタル信号のうち、第３の周波数帯域のデジタル信号は、第３フィルタ手段を通過し、復調手段によって復調される。
【００２２】
前述のように第１信号処理手段および第２信号処理手段は、集積回路によって構成されるので、前記従来技術のように補正回路とともに金属性の筺体でシールドされた複数のチューナを並べて配設される構成に比べて、第１および第２信号処理手段を含む受信装置の回路規模を小さくすることができる。また受信した番組信号は、集積回路によって構成される第１信号処理手段の分配手段によって分配することによって、第１信号処理手段における信号の伝送損失を低減することができる。したがって、第１信号処理手段におけるインピーダンスを均等に保つことができる。これによって前記従来技術とは異なり、分配損失を補正するために設けられる補正回路において、個別部品の部品定数の絶対値のばらつきを低減することができる。
【００２３】
また受信装置の回路規模を小さくすることによって、放送局から送信される番組信号が入力する第１フィルタ手段から復調手段までの信号経路の距離を、前記従来技術よりも小さくすることができる。これによって信号経路における伝送損失を、前記従来技術よりも低減することができるとともに、信号経路を伝送する信号のレベルのばらつきを小さくすることができ、比較的安定した信号の伝送が可能となる。
【００２４】
さらに前記信号経路の距離を小さくすることができるので、第１および第２信号処理手段に対する外部からのノイズの侵入経路を可及的に小さくすることができる。したがって、外部から侵入するノイズを低減して、信号経路を伝送する信号がノイズによって減衰することを防ぐことができ、信号の受信感度を向上することができる。前記従来技術では、信号の受信感度を高めるために個別の高周波部品を設けるように構成されているのに対して、本発明では信号の受信感度を高めるために個別の高周波部品を設ける必要がない。したがって前記従来技術に比べて、受信装置の部品点数を低減することができ、製造コストおよび消費電力を低減することができる。
また、前記第１フィルタ手段の通過周波数帯域幅は、所定の複数チャンネルの番組信号を含むように外部から制御可能である。
【００２５】
また本発明によれば、復調手段は、デジタル信号処理装置（以下、「ＤＳＰ」と称する場合がある）である。ＤＳＰは、制御手段から与えられる予め定める指令、具体的には予め定める復調プログラムを他の復調プログラムに切換える指令に基づいて、復調プログラムを一の復調プログラムから他の復調プログラムに切換えることができる。またＤＳＰは、制御手段から与えられる予め定める指令、具体的にはＤＳＰに予め記録されている復調プログラムを他の復調プログラムに書換える指令に基づいて、復調プログラムを書換えることができる。したがって受信装置では、伝送方式に応じて予めＤＳＰに記録されている復調プログラムを変更することによって、ＤＳＰに入力される信号を、伝送方式に応じた復調プログラムに従って比較的容易に復調することができる。また受信装置には、伝送方式に応じて個別に専用の復調手段を設ける必要がないので、専用の復調手段を設ける場合に比べて、製造コストを低減することができる。
【００２６】
また本発明によれば、第１フィルタ手段の通過周波数帯域幅、変換手段の変換信号レベルおよび第３フィルタ手段の通過信号レベルの少なくともいずれか１つを変更可能に構成される。具体的には、制御手段から与えられる予め定める伝送方式に応じた前記通過周波数帯域幅、変換信号レベルおよび通過信号レベルにそれぞれ変更可能に構成される。このように伝送方式に応じた通過周波数帯域幅、変換信号レベルおよび通過信号レベルにそれぞれ変更することができるので、第１および第２信号処理手段の各手段を伝送する信号のレベルのばらつきを小さくし、信号のレベルの安定化を図ることができる。
【００２７】
このように信号のレベルの安定化を図ることができるので、第１フィルタ手段、増幅手段、第２フィルタ手段、変換手段および第３フィルタ手段では、信号のレベルを安定化させるための予め定める信号処理をする必要が無く、前記信号処理の負担を軽減することができる。これによって、第１フィルタ手段、増幅手段、第２フィルタ手段、変換手段および第３フィルタ手段における消費電力を可及的に低減することができる。
【００２８】
また本発明によれば、変換手段として、デルタシグマアナログデジタル変換器が用いられる。デルタシグマアナログデジタル変換器を用いることによって、第１信号処理手段の利得制御手段から出力される混合信号を、高精度にデジタル信号に変換することができる。換言すると、外部から侵入するノイズの影響を受けることなく、高精度なデジタル信号を得ることができる。
【００２９】
したがって、第１フィルタ手段、増幅手段、第２フィルタ手段および第３フィルタ手段における前記外部から侵入するノイズを除去するための信号処理には、高い精度を必要とせず、第１フィルタ手段、増幅手段、第２フィルタ手段および第３フィルタ手段における前記信号処理の負担を軽減することができる。これによって、第１フィルタ手段、増幅手段、第２フィルタ手段および第３フィルタ手段における消費電力を可及的に低減することができる。
【００３０】
また本発明によれば、混合信号生成手段は、ダイレクトコンバージョン方式によって、高周波信号の番組信号から直接に低周波信号の混合信号に周波数変換する。ダイレクトコンバージョン方式を用いない場合は、発振信号生成手段によって変換手段に適した周波数の発振信号を生成し、この発振信号と番組信号とを混合信号生成手段によって混合することによって、受信した番組信号の周波数を、変換手段に適した周波数に変換させる必要がある。このような周波数変換方式では、不要な周波数の信号も変換されて番組信号に混信する場合があるので、不要な周波数の信号を除去するためのフィルタ手段を設けて、このフィルタ手段によって、前記不要な周波数の信号を除去する必要がある。
【００３１】
これに対して本発明では、高周波信号の番組信号から直接に低周波信号の混合信号に変換するので、不要な周波数の信号が変換されて番組信号に混信することを、可及的に抑制することができる。このように本発明では、不要な周波数の信号が変換されて番組信号に混信することを抑制することができるので、前記不要な周波数の信号を除去するためのフィルタ手段を設ける必要がない。したがって、前記不要な周波数の信号を除去するためのフィルタ手段を設ける場合に比べて、受信装置における部品点数を低減することができるとともに、消費電力を低減することができる。
【００３２】
また本発明によれば、第１フィルタ手段は、第１フィルタ手段の通過周波数帯域幅が、番組信号の最小受信周波数の２倍以下の周波数帯域幅および番組信号の最大受信周波数の１／２以下の周波数帯域幅のうちいずれか小さい方の周波数帯域幅になるように、制御手段によって制御される。
【００３３】
受信装置によって複数の周波数帯域の番組信号を受信した場合は、受信装置の周囲の環境などによって各周波数の信号レベルが異なるので、受信した番組信号のレベルを予め定める信号のレベル、具体的には復調手段によって復調可能な信号のレベルになるように、増幅手段および第１〜第３フィルタ手段によって増幅または減衰させる処理をする必要がある。番組信号の最大受信周波数と、番組信号の最小受信周波数との差が大きい場合、および比較的多くの周波数帯域の番組信号を同時に受信した場合には、増幅手段および第１〜第３フィルタ手段によって、受信した番組信号のレベルを予め定める信号のレベルに増幅または減衰させることができない場合があり、受信装置のダイナミックレンジが低下してしまう。
【００３４】
そこで本発明では、第１フィルタ手段の通過周波数帯域幅を、前記２つの周波数帯域幅のうちいずれか小さい方の周波数帯域幅になるように制御することによって、最大受信周波数と最小受信周波数との差が大きい信号が、第１フィルタ手段の下流側に配設される各手段に伝送されることを防止することができる。これによって受信装置のダイナミックレンジが低下することを抑制することができる。したがって、増幅手段および第１〜第３フィルタ手段では、前記番組信号のレベルの増幅または減衰させる処理をする必要が無く、増幅手段および第１〜第３フィルタ手段による前記処理の負担を軽減することができる。これによって、増幅手段および第１〜第３フィルタ手段における消費電力を可及的に低減することができる。
【００３５】
また本発明によれば、増幅手段の下流側でかつ分配手段の上流側には、他の混合信号生成手段および他の発振信号生成手段が配設される。前記他の混合信号生成手段は、増幅手段から出力される番組信号と、前記他の発振信号生成手段で生成された発振信号とを混合して混合信号を生成する。他の混合信号生成手段で生成された混合信号は、分配手段によってチャンネル毎に分配される。分配手段の下流側に配設される混合信号生成手段では、発振信号生成手段で生成される発振信号と、分配手段によって分配された各チャンネルの混合信号とが混合されて、新たな混合信号が生成され、利得制御手段および第２フィルタ手段を経由して変換手段へと伝送される。
【００３６】
前述のように、増幅手段の下流側でかつ分配手段の上流側に配設される他の混合信号生成手段によって、番組信号から、この番組信号の周波数よりも変換手段に適した予め定める周波数に近い周波数の混合信号へと周波数変換した後、さらに分配手段の下流側に配設される混合信号生成手段によって、混合信号から、この混合信号の周波数よりも変換手段に適した予め定める周波数に近い周波数の新たな混合信号へと周波数変換する。これによって受信した番組信号の周波数、つまり受信周波数を、変換手段に適した予め定める周波数へと容易に近づけることができ、変換手段に適した周波数の信号を変換手段に入力することができる。
【００３７】
したがって第２フィルタにおける前記分配手段によって分配された信号を変換手段に適した周波数の信号にするための処理には、高い精度を必要とせず、第２フィルタ手段による前記処理の負担を軽減することができる。また変換手段には、変換手段に適した周波数の信号、換言すると信号のレベルが安定した信号が入力されるので、変換手段では、信号のレベルを安定化させるための予め定める信号処理をする必要が無く、前記信号処理の負担を軽減することができる。
【００３８】
これらによって、第２フィルタ手段および変換手段における消費電力を可及的に低減することができる。
【００３９】
また本発明によれば、分配手段の下流側に配設される混合信号生成手段は、パッシブミキサ回路によって構成され、増幅手段の下流側でかつ分配手段の上流側に配設される他の混合信号生成手段は、アクティブミキサ回路によって構成される。アクティブミキサ回路によって、番組信号から混合信号へと周波数変換し、分配手段の下流側に配設されるパッシブミキサ回路によって、混合信号から、この混合信号とは異なる新たな混合信号へと周波数変換する。これによって新たな混合信号のレベルを予め定める信号のレベル、たとえば復調手段によって復調可能な信号のレベルに安定させることができる。
【００４０】
このように第１信号処理手段によって信号のレベルを安定させた混合信号を、第２信号処理手段に伝送することによって、変換手段および第３フィルタ手段では、信号のレベルを安定化させるための信号処理をする必要が無く、前記信号処理の負担を軽減することができる。これによって、変換手段および第３フィルタ手段における消費電力を可及的に低減することができる。
【００４１】
また本発明によれば、前述のような受信装置を搭載する情報記録出力装置を実現することができる。したがって前述のような各効果を達成可能な情報記録出力装置を実現することができる。
【発明を実施するための最良の形態】
【００４２】
以下に、本発明を実施するための複数の形態について説明する。以下の説明において、先行する形態で説明している事項に対応する部分については同一の参照符を付し、重複する説明を省略する場合がある。構成の一部のみを説明している場合、構成の他の部分は、先行して説明している形態と同様とする。
【００４３】
図１は、本発明の第１の実施の形態である受信装置１の構成を示すブロック図である。受信装置１は、アンテナ２、チューナモジュール部３および制御部６を含んで構成される。チューナモジュール部３は、第１信号処理部４および第２信号処理部５を含む。
【００４４】
第１信号処理部４は、半導体集積回路（Integrated Circuit；略称：ＩＣ）から成り、帯域通過フィルタ（Band Pass Filter；略称：ＢＰＦ）部１１、低雑音増幅器（Low
Noise Amplifier；略称：ＬＮＡ）１２、分配器１３、第１局部発振器１４ａ、第２局部発振器１４ｂ、第３局部発振器１４ｃ、第４局部発振器１４ｄ、第１ミキサ部１５ａ、第２ミキサ部１５ｂ、第３ミキサ部１５ｃ、第４ミキサ部１５ｄ、第１自動利得制御（
Automatic Gain Control；略称：ＡＧＣ）部１６ａ、第２ＡＧＣ部１６ｂ、第３ＡＧＣ部１６ｃ、第４ＡＧＣ部１６ｄ、第１低帯域通過フィルタ（Low Pass Filter；略称：ＬＰＦ）部１７ａ、第２ＬＰＦ部１７ｂ、第３ＬＰＦ部１７ｃおよび第４ＬＰＦ部１７ｄを含む。
【００４５】
第２信号処理部５は、ＩＣから成り、第１アナログ／デジタル（Analog／Digital；略称：Ａ／Ｄ）変換器２１ａ、第２Ａ／Ｄ変換器２１ｂ、第３Ａ／Ｄ変換器２１ｃ、第４Ａ／Ｄ変換器２１ｄ、第１デジタルフィルタ部２２ａ、第２デジタルフィルタ部２２ｂ、第３デジタルフィルタ部２２ｃ、第４デジタルフィルタ部２２ｄ、第１直交波周波数分割多重（Orthogonal Frequency Division Multiplexing；略称：ＯＦＤＭ）復調部（以下、単に「復調部」と称する場合がある）２３ａ、第２復調部２３ｂ、第３復調部２３ｃおよび第４復調部２３ｄを含む。
【００４６】
本実施の形態のチューナモジュール部３は、第１チューナ部７ａ、第２チューナ部７ｂ、第３チューナ部７ｃおよび第４チューナ部７ｄを含む。第１チューナ部７ａは、前記第１局部発振器１４ａ、第１ミキサ部１５ａ、第１ＡＧＣ部１６ａ、第１ＬＰＦ部１７ａ、第１Ａ／Ｄ変換器２１ａ、第１デジタルフィルタ部２２ａおよび第１復調部２３ａを含む。第２チューナ部７ｂは、前記第２局部発振器１４ｂ、第２ミキサ部１５ｂ、第２ＡＧＣ部１６ｂ、第２ＬＰＦ部１７ｂ、第２Ａ／Ｄ変換器２１ｂ、第２デジタルフィルタ部２２ｂおよび第２復調部２３ｂを含む。
【００４７】
第３チューナ部７ｃは、前記第３局部発振器１４ｃ、第３ミキサ部１５ｃ、第３ＡＧＣ部１６ｃ、第３ＬＰＦ部１７ｃ、第３Ａ／Ｄ変換器２１ｃ、第３デジタルフィルタ部２２ｃおよび第３復調部２３ｃを含む。第４チューナ部７ｄは、前記第４局部発振器１４ｄ、第４ミキサ部１５ｄ、第４ＡＧＣ部１６ｄ、第４ＬＰＦ部１７ｄ、第４Ａ／Ｄ変換器２１ｄ、第４デジタルフィルタ部２２ｄおよび第４復調部２３ｄを含む。
【００４８】
第１〜第４チューナ部７ａ〜７ｄは、同様の構成であるので、本実施の形態では、第１チューナ部７ａのみ説明し、第２〜第４チューナ部７ｂ〜７ｄの説明を省略する。以下の説明において、第１〜第４チューナ部７ａ〜７ｄおよび各チューナ部７ａ〜７ｄを構成する各部位を総称する場合、「第１」、「第２」、「第３」および「第４」ならびに参照符号において添え字「ａ」、「ｂ」、「ｃ」および「ｄ」を省略することがある。
【００４９】
本実施の形態において、第１信号処理手段は第１信号処理部４に相当し、第２信号処理手段は第２信号処理部５に相当する。制御手段は、制御部６に相当する。第１フィルタ手段は、ＢＰＦ部１１に相当する。増幅手段は、ＬＮＡ１２に相当する。分配手段は、分配器１３に相当する。発振信号生成手段は、局部発振器１４に相当する。混合信号生成手段は、ミキサ部１５に相当する。利得制御手段は、ＡＧＣ部１６に相当する。第２フィルタ手段は、ＬＰＦ部１７に相当する。変換手段は、Ａ／Ｄ変換器２１に相当する。第３フィルタ手段は、デジタルフィルタ部２２に相当する。復調手段は、ＯＦＤＭ復調部２３に相当する。
【００５０】
アンテナ２は第１信号処理部４のＢＰＦ部１１に接続され、ＢＰＦ部１１はＬＮＡ１２に接続されている。ＬＮＡ１２は分配器１３に接続されている。分配器１３および局部発振器１４は、ミキサ部１５に接続されている。ミキサ部１５はＡＧＣ部１６に接続され、ＡＧＣ部１６はＬＰＦ部１７に接続されている。ＬＰＦ部１７は、第２信号処理部５のＡ／Ｄ変換器２１に接続されている。Ａ／Ｄ変換器２１はデジタルフィルタ部２２に接続され、デジタルフィルタ部２２は復調部２３に接続されている。復調部２３は、復調信号出力端子部２５に接続されている。また復調部２３は、局部発振器１４、ＡＧＣ部１６およびＡ／Ｄ変換器２１に接続されている。制御部６は、第１信号処理部４および第２信号処理部５に接続されている。
【００５１】
アンテナ２は、たとえば放送衛星（Broadcasting Satellite；略称：ＢＳ）、通信衛星（Communication Satellite；略称：ＣＳ）および地上アンテナから送信される複数の放送波を捕捉する。複数の放送波には、複数チャンネルの番組に関する番組信号が含まれている。番組信号は、番組の内容を表す画像情報および音声情報を含む番組情報を表す信号と、放送チャンネルの一覧、放送中または放送予定の番組の内容閲覧、ならびに所望の番組を容易に検索および予約する機能を提供する電子番組案内（Electronic Program Guide；略称：ＥＰＧ）情報を表す信号とを含む。
【００５２】
ＢＰＦ部１１は、アンテナ２が捕捉した複数の放送波に含まれる複数チャンネルの番組に関する番組信号から不要な周波数の番組信号を除去し、予め定める第１の周波数帯域の番組信号を通過させてＬＮＡ１２に与える。ＬＮＡ１２は、ＢＰＦ部１１から与えられる番組信号を増幅して、分配器１３に与える。ＬＮＡ１２は、微弱な信号でも、ＬＮＡ１２の下流側で発生する信号対雑音比の劣化を抑制するために設けられる。分配器１３は、ＬＮＡ１２から与えられた番組信号を、チューナ部７のミキサ部１５に対してチャンネル毎に分配して与える。
【００５３】
局部発振器１４は、後述する復調部２３から与えられる制御信号に基づいて、ミキサ部１５に与えられた番組信号の周波数に応じた予め定める発振周波数の発振信号を生成し、ミキサ部１５に与える。ミキサ部１５は、分配器１３から与えられる番組信号と、局部発振器１４から与えられる発振信号とを混合、具体的には乗算することによって、番組信号とは周波数が異なる混合信号を生成し、ＡＧＣ部１６に与える。
【００５４】
ＡＧＣ部１６は、後述する復調部２３から与えられる制御信号に基づいて、ミキサ部１５から与えられる混合信号のレベルが変化しても、出力する混合信号のレベルが一定になるように、増幅器の増幅率、つまり利得を可変制御する。ＡＧＣ部１６は、出力する混合信号をＬＰＦ部１７に与える。ＬＰＦ部１７は、ＡＧＣ部１６から与えられる混合信号から不要な周波数の混合信号を除去し、予め定める遮断周波数以下の周波数帯域である第２の周波数帯域の混合信号を通過させて、第２信号処理部５のＡ／Ｄ変換器２１に与える。
【００５５】
Ａ／Ｄ変換器２１は、後述する復調部２３から与えられる制御信号に基づいて、ＬＰＦ部１７から与えられる混合信号を、アナログ信号からデジタル信号に変換し、デジタル信号をデジタルフィルタ部２２に与える。デジタルフィルタ部２２は、有限インパルス応答（Finite Impulse Response；略称：ＦＩＲ）型フィルタおよび無限インパルス応答（
Infinite Impulse Response；略称：ＩＩＲ）型フィルタのうちいずれか一方によって実現される。デジタルフィルタ部２２は、Ａ／Ｄ変換器２１から与えられるデジタル信号から不要な周波数のデジタル信号を除去し、予め定める第３の周波数帯域のデジタル信号を通過させて、復調部２３に与える。デジタルフィルタ部２２では、第１信号処理部４で充分に除去することができないノイズを除去している。
【００５６】
復調部２３は、デジタルフィルタ部２２から与えられるデジタル信号に対して復調処理をして番組信号を出力する。復調部２３から出力される番組信号は、復調信号出力端子部２５から出力され、たとえば後述する情報記録出力装置１００の第１エンコーダ部１１５に与えられる。
【００５７】
復調部２３は、番組信号を復調部２３で復調可能なデジタル信号に変換するために適した発振周波数の発振信号を生成するための制御信号を、局部発振器１４に与える。復調部２３は、Ａ／Ｄ変換器２１に伝送される信号のレベルが予め定める信号のレベルになるように、アナログ信号領域における信号のレベル調整をするための制御信号を、ＡＧＣ部１６に与える。復調部２３は、復調部２３に適合する復調方式に対応するデジタル信号への変換指令、およびデジタル信号領域における信号のレベル調整をするための制御信号を、Ａ／Ｄ変換器２１に与える。
【００５８】
制御部６は、たとえば中央演算処理装置（Central Processing Unit；略称：ＣＰＵ）を含んで実現され、その内部に記憶される制御プログラムに基づいて、チューナモジュール部３の第１信号処理部４および第２信号処理部５を制御する。さらに述べると制御部６は、前記局部発振器１４、ミキサ部１５、ＡＧＣ部１６、ＬＰＦ部１７、Ａ／Ｄ変換器２１、デジタルフィルタ部２２および復調部２３を含むチューナ部７、ＢＰＦ部１１およびＬＮＡ１２を統括的に制御する。
【００５９】
制御部６は、第１〜第４チューナ部７ａ〜７ｄのうち、いずれのチューナ部７を動作させるかを表す動作信号、またはいずれのチューナ部７の動作を停止させるかを表す動作停止信号を、第１および第２信号処理部４，５に与える。第１および第２信号処理部４，５は、制御部６から動作信号が与えられると、前記動作信号に基づいて、第１〜第４チューナ部７ａ〜７ｄのうち、いずれかのチューナ部７を動作させる。第１および第２信号処理部４，５は、制御部６から動作停止信号が与えられると、前記動作停止信号に基づいて、第１〜第４チューナ部７ａ〜７ｄのうち、いずれかのチューナ部７の動作を停止させる。
【００６０】
制御部６は、ＢＰＦ部１１の通過周波数帯域幅を、図示しない入力手段から入力された通過周波数帯域幅に変更する帯域幅変更指令を、ＢＰＦ部１１に与えることが可能である。ＢＰＦ部１１の通過周波数帯域幅は、制御部６から与えられる前記帯域幅変更指令に基づいて変更することができる。
【００６１】
制御部６は、Ａ／Ｄ変換器２１の変換信号レベル、具体的にはＡ／Ｄ変換器２１のサンプリング周波数を、図示しない入力手段から入力されたサンプリング周波数に変更する変換信号レベル変更指令を、Ａ／Ｄ変換器２１に与えることが可能である。Ａ／Ｄ変換器２１の変換信号レベルは、制御部６から与えられる前記変換信号レベル変更指令に基づいて変更することができる。
【００６２】
制御部６は、デジタルフィルタ部２２の通過信号レベル、具体的にはデジタルフィルタ部２２を通過する信号の周波数帯域を、図示しない入力手段から入力された周波数帯域に変更する周波数帯域変更指令を、デジタルフィルタ部２２に与えることが可能である。デジタルフィルタ部２２の通過信号レベルは、制御部６から与えられる前記周波数帯域変更指令に基づいて変更することができる。
【００６３】
制御部６は、ＢＰＦ部１１の通過周波数帯域幅を、番組信号の最小受信周波数の２倍以下の周波数帯域幅および番組信号の最大受信周波数の１／２以下の周波数帯域幅のうちいずれか小さい方の周波数帯域幅にさせるための帯域幅制御信号を、ＢＰＦ部１１に与える。ＢＰＦ部１１は、制御部６から与えられる前記帯域幅制御信号に基づいて、通過周波数帯域幅を、番組信号の最小受信周波数の２倍以下の周波数帯域幅および番組信号の最大受信周波数の１／２以下の周波数帯域幅のうちいずれか小さい方の周波数帯域幅にする。
【００６４】
前述のように本発明の第１の実施の形態によれば、第１信号処理部４および第２信号処理部５は、半導体集積回路によって構成されるので、前記従来技術のように金属性の筺体でシールドされた複数のチューナ部７を並べて配設される構成に比べて、第１および第２信号処理部４，５を含む受信装置１の回路規模を小さくすることができる。また受信した番組信号は、ＩＣから成る第１信号処理部４の分配器１３で分配することによって、第１信号処理部４における信号の伝送損失を低減することができる。
【００６５】
したがって、第１信号処理部４におけるインピーダンスを均等に保つことができる。これによって前記従来技術とは異なり、分配損失を補正するために設けられる補正回路において、個別部品の部品定数の絶対値のばらつきを低減することができる。
【００６６】
また受信装置１の回路規模を小さくすることによって、放送局から送信される番組信号が入力するＢＰＦ部１１から復調部２３までの信号経路の距離を、前記従来技術よりも小さくすることができる。これによって信号経路における伝送損失を、前記従来技術よりも低減することができるとともに、信号経路を伝送する信号のレベルのばらつきを小さくすることができ、比較的安定した信号の伝送が可能となる。
【００６７】
さらに前記信号経路の距離を小さくすることができるので、第１および第２信号処理部４，５に対する外部からのノイズの侵入経路を可及的に小さくすることができる。したがって、外部から侵入するノイズを低減して、信号経路を伝送する信号がノイズによって減衰することを防ぐことができ、信号の受信感度を向上することができる。
【００６８】
前記従来技術では、信号の受信感度を高めるために個別の高周波部品を設けるように構成されているのに対して、本実施の形態では信号の受信感度を高めるために個別の高周波部品を設ける必要がない。したがって前記従来技術に比べて、受信装置の部品点数を低減することができ、製造コストおよび消費電力を低減することができる。
【００６９】
また本発明の第１の実施の形態によれば、ＢＰＦ部１１の通過周波数帯域幅、Ａ／Ｄ変換器２１の変換信号レベルおよびデジタルフィルタ部２２の通過信号レベルの少なくともいずれか１つを変更可能に構成される。具体的には、制御部６から与えられる予め定める伝送方式、たとえば８ＶＳＤ（Vestigial Sideband Modulation）方式およびＣＯＦＤＭ（Coded Orthogonal Frequency Division Multiplexing）方式に応じた前記通過周波数帯域幅、変換信号レベルおよび通過信号レベルにそれぞれ変更可能に構成される。ＢＰＦ部１１の通過周波数帯域幅としては、たとえば４００ＭＨｚである。
【００７０】
前述のように伝送方式に応じた通過周波数帯域幅、変換信号レベルおよび通過信号レベルにそれぞれ変更することができるので、第１および第２信号処理部４，５の各手段を伝送する信号のレベルのばらつきを小さくし、信号のレベルの安定化を図ることができる。本実施の形態では、Ａ／Ｄ変換器２１とデジタルフィルタ部２２とを設けることによって、約８０デシベルの信号のレベルを得ることができる。
【００７１】
また前述のように信号のレベルの安定化を図ることができるので、ＢＰＦ部１１、ＬＮＡ１２、ＬＰＦ部１７、Ａ／Ｄ変換器２１およびデジタルフィルタ部２２では、信号のレベルを安定化させるための予め定める信号処理をする必要が無く、前記信号処理の負担を軽減することができる。これによって、ＢＰＦ部１１、ＬＮＡ１２、ＬＰＦ部１７、Ａ／Ｄ変換器２１およびデジタルフィルタ部２２における消費電力を可及的に低減することができる。
【００７２】
また本発明の第１の実施の形態によれば、ＢＰＦ部１１は、ＢＰＦ部１１の通過周波数帯域幅が、番組信号の最小受信周波数の２倍以下の周波数帯域幅および番組信号の最大受信周波数の１／２以下の周波数帯域幅のうちいずれか小さい方の周波数帯域幅になるように、制御部６によって制御される。
【００７３】
受信装置１によって複数の周波数帯域の番組信号を受信した場合は、受信装置１の周囲の環境などによって各周波数の信号レベルが異なるので、受信した番組信号のレベルを予め定める信号のレベル、具体的には復調部２３によって復調可能な信号のレベルになるように、ＬＮＡ１２、ＢＰＦ部１１、ＬＰＦ部１７およびデジタルフィルタ部２２によって増幅または減衰させる処理をする必要がある。
【００７４】
番組信号の最大受信周波数と、番組信号の最小受信周波数との差が大きい場合、および比較的多くの周波数帯域の番組信号を同時に受信した場合には、ＬＮＡ１２、ＢＰＦ部１１、ＬＰＦ部１７およびデジタルフィルタ部２２によって、受信した番組信号のレベルを予め定める信号のレベルに増幅または減衰させることができない場合があり、受信装置１のダイナミックレンジが低下してしまう。
【００７５】
そこで本実施の形態では、ＢＰＦ部１１の通過周波数帯域幅を、前記番組信号の最小受信周波数の２倍以下の周波数帯域幅および番組信号の最大受信周波数の１／２以下の周波数帯域幅のうち、いずれか小さい方の周波数帯域幅になるように制御することによって、最大受信周波数と最小受信周波数との差が大きい信号が、ＢＰＦ部１１の下流側に配設される各手段に伝送されることを防止することができる。
【００７６】
これによって受信装置１のダイナミックレンジが低下することを抑制することができる。したがって、ＬＮＡ１２、ＢＰＦ部１１、ＬＰＦ部１７およびデジタルフィルタ部２２では、前記番組信号のレベルの増幅または減衰させる処理をする必要が無く、ＬＮＡ１２、ＢＰＦ部１１、ＬＰＦ部１７およびデジタルフィルタ部２２による前記処理の負担を軽減することができる。これによって、ＬＮＡ１２、ＢＰＦ部１１、ＬＰＦ部１７およびデジタルフィルタ部２２における消費電力を可及的に低減することができる。
【００７７】
次に、本実施の形態の受信装置１を搭載した情報記録出力装置１００について説明する。図２は、情報記録出力装置１００の構成を示すブロック図である。情報記録出力装置１００には、前記受信装置１が搭載される。情報記録出力装置１００は、放送局から送信される複数チャンネルの番組に関する番組信号を受信し、受信した複数チャンネルの番組信号が表す番組情報およびＥＰＧ情報を、ハードディスクドライブなどの記録媒体に記録して出力することが可能な装置である。
【００７８】
情報記録出力装置１００は、情報記録出力装置本体１０１、操作部１０２および制御部６を含んで構成される。情報記録出力装置本体１０１は、アンテナ２、チューナモジュール部３、第１エンコーダ部１１５、第１ハードディスクドライブ（以下、「第１ＨＤＤ」と称する場合がある）部１１６、情報管理編集部１１７、第１デコーダ部１１８、情報処理部１１９、関連情報生成部１２０、第２エンコーダ部１２１、第２ハードディスクドライブ（以下、「第２ＨＤＤ」と称する場合がある）部１２２、第２デコーダ部１２３、メディア記録部１２４および番組情報処理部１２５を含む。
【００７９】
チューナモジュール部３の復調部２３によって復調した番組信号は、復調信号出力端子部２５ａ〜２５ｄを介して第１エンコーダ部１１５に与えられる。第１エンコーダ部１１５は、チューナモジュール部３から与えられる番組信号が表す複数チャンネルの番組情報を符合化する。具体的に述べると、第１エンコーダ部１１５では、前記複数チャンネルの番組情報の各画像情報に対して、たとえばＭＰＥＧ（Moving Picture Experts Group）方式の圧縮処理をし、前記番組情報の各音声情報に対して、たとえばＭＰＥＧ方式の圧縮処理をする。第１エンコーダ部１１５は、チューナモジュール部３から与えられる番組信号が表すＥＰＧ情報および複数チャンネルの符号化した番組情報を第１ＨＤＤ部１１６に与える。
【００８０】
第１ＨＤＤ部１１６は、ＥＰＧ情報用記録領域、番組情報用記録領域および入力情報用記録領域を含む。ＥＰＧ情報用記録領域は、第１エンコーダ部１１５から与えられるＥＰＧ情報を記録する。番組情報用記録領域は、第１エンコーダ部１１５から与えられる複数チャンネルの符号化された番組情報を記録する。入力情報用記録領域は、後述する操作部１０２が操作されて入力される情報を記録する。第１ＨＤＤ部１１６は、ＥＰＧ情報用記録領域に記録されるＥＰＧ情報を第２デコーダ部１２３に与える。また第１ＨＤＤ部１１６は、番組情報用記録領域に記録される複数チャンネルの符合化された番組情報を第１デコーダ部１１８および第２デコーダ部１２３のうちいずれか一方に与える。
【００８１】
情報管理編集部１１７は、第１ＨＤＤ部１１６に記録される番組情報のうち、複数の同一の番組情報を一括して管理する。また情報管理編集部１１７は、制御部６から与えられる制御信号に基づいて、第１ＨＤＤ部１１６に記録される番組情報の編集、具体的には番組情報に含まれる不要な部分の消去および不要な番組情報の消去などをする。第１デコーダ部１１８は、第１ＨＤＤ部１１６から与えられる前記符合化された番組情報を復号化して、復号化情報を生成する。第１デコーダ部１１８は、生成した復号化情報を情報処理部１１９に与える。
【００８２】
情報処理部１１９は、第１デコーダ部１１８から与えられる復号化情報から、画像情報および音声情報のうち少なくともいずれか一方を抽出し、関連情報生成部１２０に与える。
【００８３】
関連情報生成部１２０は、操作者を識別する識別情報、情報処理部１１９から与えられる画像情報および音声情報のうち少なくともいずれか１つを、操作者が番組情報を検索するための検索鍵を表す検索情報とし、この検索情報と、第１デコーダ部１１８によって復号化されて生成された復号化情報とを関連付けた関連情報を生成する。前記識別情報は、たとえば操作者名であってもよいし、操作者毎に割当てられるＩＤ（Identification）番号であってもよい。本実施の形態では、操作者によって操作部１０２が操作されて、識別情報、情報処理部１１９から与えられる画像情報および音声情報のうちの少なくともいずれか１つが入力されて、検索情報が規定される。関連情報生成部１２０は、生成した関連情報を第２エンコーダ部１２１に与える。
【００８４】
第２エンコーダ部１２１は、関連情報生成部１２０から与えられる関連情報を符合化して、符合化関連情報を生成する。具体的に述べると、第２エンコーダ部１２１では、関連情報に対して、たとえばＭＰＥＧ方式の圧縮処理をして、符合化関連情報を生成する。第２エンコーダ部１２１は、符号化関連情報を第２ＨＤＤ部１２２に与える。
【００８５】
第２ＨＤＤ部１２２は、第２エンコーダ部１２１から与えられる符合化関連情報を記録する。第２ＨＤＤ部１２２は、記録している符合化関連情報を第２デコーダ部１２３に与える。第２デコーダ部１２３は、第２ＨＤＤ部１２２から与えられる符合化関連情報を復号化して関連情報を生成し、メディア記録部１２４および番組情報処理部１２５の少なくともいずれか一方に与える。また第２デコーダ部１２３は、第１ＨＤＤ部１１６から与えられる複数チャンネルの符合化された番組情報を復号化して、その復号化した番組情報をメディア記録部１２４および番組情報処理部１２５の少なくともいずれか一方に与える。さらに第２デコーダ部１２３は、第１ＨＤＤ部１１６から与えられるＥＰＧ情報を番組情報処理部１２５に与える。
【００８６】
メディア記録部１２４は、コンパクトディスク（Compact Disk；略称：ＣＤ）およびデジタル多機能ディスク（Digital Versatile Disk；略称：ＤＶＤ）などの光記録媒体に、第２デコーダ部１２３から与えられる番組情報を記録する機能を有する。
【００８７】
番組情報処理部１２５は、第２デコーダ部１２３から与えられる関連情報および復号化した番組情報に対して画像処理を施す。番組情報処理部１２５は、第２デコーダ部１２３からＥＰＧ情報が与えられている場合、後述する制御部６から与えられる指令であって、ＥＰＧ情報の出力に関する指令に基づいて、ＥＰＧ情報を、情報記録出力装置１００の外部に設けられる出力装置１２６に出力させる。出力装置１２６は、たとえば音声情報を出力可能なスピーカおよび画像情報を出力可能なディスプレイを備えるテレビジョン受信機によって実現される。
【００８８】
番組情報処理部１２５は、第２デコーダ部１２３から前記関連情報が与えられている場合、後述する制御部６から与えられる指令であって、関連情報に含まれる検索情報の出力に関する指令に基づいて、検索情報を出力装置１２６に出力させる。その後、後述する制御部６から与えられる指令であって、操作者が所望する番組情報の出力に関する指令に基づいて、操作者が所望する番組情報の画像情報と音声情報とが同期するような処理をして、前記画像情報および音声情報を出力装置１２６に出力させる。
【００８９】
番組情報処理部１２５は、第２デコーダ部１２３から前記復号化した番組情報が与えられている場合、後述する制御部６から与えられる指令であって、操作者が所望する番組情報の出力に関する指令に基づいて、操作者が所望する番組情報の画像情報と音声情報とが同期するような処理をして、前記画像情報および音声情報を出力装置１２６に出力させる。
【００９０】
操作部１０２は、操作者が操作する操作キーなどの複数の操作片を有する。操作部１０２は、各操作片が操作されることによって、数字情報、文字情報および情報記録出力装置本体１０１への指示情報などの所定の情報など、操作に応じた情報を表す信号を生成して後述する制御部６に与える。したがって操作者は、操作部１０２の各操作片を操作して、情報記録出力装置本体１０１に情報を与えることができる。本実施の形態の操作部１０２は、操作者によって入力される情報を、たとえば赤外線通信によって情報記録出力装置本体１０１に指令を送信するための遠隔操作が可能なリモコンによって実現される。本発明の他の実施の形態では、操作部１０２が、情報記録出力装置本体１０１に設けられてもよい。
【００９１】
制御部６は、前記受信装置１の制御部の機能を有している。また制御部６は、ＣＰＵの内部に記憶される制御プログラムに基づいて、情報記録出力装置本体１０１を構成する前記チューナモジュール部３、第１エンコーダ部１１５、第１ＨＤＤ部１１６、情報管理編集部１１７、第１デコーダ部１１８、情報処理部１１９、関連情報生成部１２０、第２エンコーダ部１２１、第２ＨＤＤ部１２２、第２デコーダ部１２３、メディア記録部１２４および番組情報処理部１２５を含むハードウェア資源を統括的に制御する。制御部６は、操作部１０２から与えられる信号に基づいて、情報記録出力装置本体１０１および情報記録出力装置本体１０１を構成する各部位に制御信号を与えて、その動作を制御する。
【００９２】
制御部６は、操作者によって指定された番組情報、換言すると操作者が所望する番組情報、および前記アンテナ２およびチューナモジュール部３によって取得した最新のＥＰＧ情報に基づいて、第１ＨＤＤ部１１６に記録すべき番組情報を表す記録番組情報を生成する。記録番組情報は、図示しない記憶部に記憶される。制御部６は、操作者が所望する番組情報に関する情報が操作部１０２から与えられ、記録番組情報を生成すると、記録番組情報に基づいて、第１ＨＤＤ部１１６に記録されている番組情報のうち、操作者が所望する番組情報を第２ＨＤＤ部１２２に選択的に記録させる指令を、情報記録出力装置本体１０１に与える。これによって第１ＨＤＤ部１１６に記録されている番組情報のうち、操作者が所望する番組情報を第２ＨＤＤ部１２２に記録させることができる。実際には、第２エンコーダ部１２１によって生成された符合化関連情報が第２ＨＤＤ部１２２に記録される。
【００９３】
制御部６は、ＥＰＧ情報を出力装置１２６に出力させる指令を、番組情報処理部１２５に与える。これによって、ＥＰＧ情報を出力装置１２６に出力させることができる。制御部６は、関連情報に含まれる検索情報を出力装置１２６に出力させる指令を、番組情報処理部１２５に与える。これによって、検索情報を出力装置１２６に出力させることができる。制御部６は、操作者が所望する番組情報を出力装置１２６に出力させる指令を、番組情報処理部１２５に与える。これによって、操作者が所望する番組情報を出力装置１２６に出力させることができる。
【００９４】
前述のように本実施の形態によれば、前述のような製造コストおよび消費電力を低減することができる受信装置１を情報記録出力装置１００に搭載することによって、製造コストおよび消費電力を低減することができる情報記録出力装置１００を実現することができる。
【００９５】
図３は、本発明の第２の実施の形態である受信装置３０の構成を示すブロック図である。本実施の形態の受信装置３０は、第１の実施の形態の受信装置１と類似の構成であるので、異なる部分についてのみ説明し、対応する部分については、同一の参照符を付して説明を省略する。
【００９６】
受信装置３０は、アンテナ２、チューナモジュール部３１および制御部６を含んで構成される。チューナモジュール部３１は、第１信号処理部４および第２信号処理部３２を含む。第２信号処理部３２は、第１〜第４Ａ／Ｄ変換器２１ａ〜２１ｄ、第１〜第４デジタルフィルタ部２２ａ〜２２ｄ、第１デジタル信号処理装置（Digital Signal Processor；略称：ＤＳＰ）３５ａ、第２ＤＳＰ３５ｂ、第３ＤＳＰ３５ｃおよび第４ＤＳＰ３５ｄを含む。
【００９７】
本実施の形態のチューナモジュール部３１は、第１〜第４チューナ部８ａ〜８ｄを含む。第１チューナ部８ａは、前記第１局部発振器１４ａ、第１ミキサ部１５ａ、第１ＡＧＣ部１６ａ、第１ＬＰＦ部１７ａ、第１Ａ／Ｄ変換器２１ａ、第１デジタルフィルタ部２２ａおよび第１ＤＳＰ３５ａを含む。第２チューナ部８ｂは、前記第２局部発振器１４ｂ、第２ミキサ部１５ｂ、第２ＡＧＣ部１６ｂ、第２ＬＰＦ部１７ｂ、第２Ａ／Ｄ変換器２１ｂ、第２デジタルフィルタ部２２ｂおよび第２ＤＳＰ３５ｂを含む。
【００９８】
第３チューナ部８ｃは、前記第３局部発振器１４ｃ、第３ミキサ部１５ｃ、第３ＡＧＣ部１６ｃ、第３ＬＰＦ部１７ｃ、第３Ａ／Ｄ変換器２１ｃ、第３デジタルフィルタ部２２ｃおよび第３ＤＳＰ３５ｃを含む。第４チューナ部８ｄは、前記第４局部発振器１４ｄ、第４ミキサ部１５ｄ、第４ＡＧＣ部１６ｄ、第４ＬＰＦ部１７ｄ、第４Ａ／Ｄ変換器２１ｄ、第４デジタルフィルタ部２２ｄおよび第４ＤＳＰ３５ｄを含む。以下の説明において、第１〜第４チューナ部８ａ〜８ｄおよび各チューナ部８ａ〜８ｄを構成する各部位を総称する場合、「第１」、「第２」、「第３」および「第４」ならびに参照符号において添え字「ａ」、「ｂ」、「ｃ」および「ｄ」を省略することがある。
【００９９】
本実施の形態において、第１信号処理手段は第１信号処理部４に相当し、第２信号処理手段は第２信号処理部３２に相当する。制御手段は、制御部６に相当する。第１フィルタ手段は、ＢＰＦ部１１に相当する。増幅手段は、ＬＮＡ１２に相当する。分配手段は、分配器１３に相当する。発振信号生成手段は、局部発振器１４に相当する。混合信号生成手段は、ミキサ部１５に相当する。利得制御手段は、ＡＧＣ部１６に相当する。第２フィルタ手段は、ＬＰＦ部１７に相当する。変換手段は、Ａ／Ｄ変換器２１に相当する。第３フィルタ手段は、デジタルフィルタ部２２に相当する。復調手段は、ＤＳＰ３５に相当する。
【０１００】
第２信号処理部３２のデジタルフィルタ部２２はＤＳＰ３５に接続され、ＤＳＰ３５は復調信号出力端子部２５に接続されている。またＤＳＰ３５は、局部発振器１４、ＡＧＣ部１６およびＡ／Ｄ変換器２１に接続されている。制御部６は、第１および第２信号処理部４，３２に接続されているとともに、ＤＳＰ３５に接続されている。
【０１０１】
デジタルフィルタ部２２は、Ａ／Ｄ変換器２１から与えられるデジタル信号から不要な周波数のデジタル信号を除去し、予め定める第３の周波数帯域のデジタル信号を通過させて、ＤＳＰ３５に与える。ＤＳＰ３５は、予め定める復調プログラムに従って、デジタルフィルタ部２２から与えられるデジタル信号に対して復調処理をして番組信号を出力する。ＤＳＰ３５から出力される番組信号は、復調信号出力端子部２５から出力され、たとえば前述の情報記録出力装置１００の第１エンコーダ部１１５に与えられる。
【０１０２】
ＤＳＰ３５は、番組信号をＤＳＰ３５で復調可能なデジタル信号に変換するために適した発振周波数の発振信号を生成するための制御信号を、局部発振器１４に与える。ＤＳＰ３５は、Ａ／Ｄ変換器２１に伝送される信号のレベルが予め定める信号のレベルになるように、アナログ信号領域における信号のレベル調整をするための制御信号を、ＡＧＣ部１６に与える。ＤＳＰ３５は、ＤＳＰ３５に適合する復調方式に対応するデジタル信号への変換指令、およびデジタル信号領域における信号のレベル調整をするための制御信号を、Ａ／Ｄ変換器２１に与える。
【０１０３】
制御部６は、予め定める復調プログラムを他の復調プログラムに切換えるプログラム切換え指令、および予めＤＳＰ３５に記録されている復調プログラムを書換えるプログラム書換え指令を、ＤＳＰ３５に与える。また制御部６は、ＤＳＰ３５に実行させる予め定める復調プログラムを表す復調プログラムデータを、ＤＳＰ３５に与える。ＤＳＰ３５は、制御部６から与えられるプログラム切換え指令に基づいて、一の復調プログラムから他の復調プログラムに切換える。またＤＳＰ３５は、制御部６から与えられるプログラム書換え指令および復調プログラムデータに基づいて、ＤＳＰ３５に記録されている復調プログラムを、制御部６から与えられる復調プログラムに書換える。
【０１０４】
前述のように本発明の第２の実施の形態によれば、復調手段は、ＤＳＰ３５によって構成される。ＤＳＰ３５は、制御部６から与えられる予め定める指令、具体的には予め定める復調プログラムを他の復調プログラムに切換えるプログラム切換え指令に基づいて、一の復調プログラムから他の復調プログラムに比較的容易に切換えることができる。またＤＳＰ３５は、制御部６から与えられる指令、具体的には予めＤＳＰ３５に記録されている復調プログラムを他の復調プログラムに書換えるプログラム書換え指令および復調プログラムデータに基づいて、ＤＳＰ３５に記録されている復調プログラムを比較的容易に書換えることができる。
【０１０５】
したがって受信装置３０では、伝送方式に応じて予めＤＳＰ３５に記録されている復調プログラムを変更することによって、ＤＳＰ３５に入力される信号を、伝送方式に応じた復調プログラムに従って比較的容易に復調することができる。また受信装置３０には、伝送方式に応じて個別に専用の復調手段を設ける必要がないので、専用の復調手段を設ける場合に比べて、受信装置３０の製造コストを低減することができる。
【０１０６】
予めＤＳＰ３５に記録されている復調プログラムを変更することによって、たとえば復調プログラムの脆弱性などを解消するような種々の改良を図ることも可能となる。
【０１０７】
図４は、本発明の第３の実施の形態である受信装置４０の構成を示すブロック図である。本実施の形態の受信装置４０は、第１および第２の実施の形態の受信装置１，３０と類似の構成であるので、異なる部分についてのみ説明し、対応する部分については、同一の参照符を付して説明を省略する。
【０１０８】
受信装置４０は、アンテナ２、チューナモジュール部４１および制御部６を含んで構成される。チューナモジュール部４１は、第１信号処理部４２および第２信号処理部４３を含む。第１信号処理部４２は、ＢＰＦ部１１、ＬＮＡ１２、分配器１３、第１〜第４局部発振器１４ａ〜１４ｄ、第１〜第８ミキサ部４５ａ〜４５ｈ、第１〜第４位相変換部４６ａ〜４６ｄおよび第１〜第８ＡＧＣ部４７ａ〜４７ｈを含む。第２信号処理部４３は、第１〜第８デルタシグマアナログ／デジタル（略称：ΔΣＡ／Ｄ）変換器４８ａ〜４８ｈ、第１〜第８デジタルフィルタ部４９ａ〜４９ｈおよび第１〜第４ＤＳＰ５０ａ〜５０ｄを含む。
【０１０９】
本実施の形態のチューナモジュール部４１は、第１〜第４チューナ部９ａ〜９ｄを含む。第１チューナ部９ａは、前記第１局部発振器１４ａ、第１および第２ミキサ部４５ａ，４５ｂ、第１位相変換部４６ａ、第１および第２ＡＧＣ部４７ａ，４７ｂ、第１および第２ΔΣＡ／Ｄ変換器４８ａ，４８ｂ、第１および第２デジタルフィルタ部４９ａ，４９ｂならびに第１ＤＳＰ５０ａを含む。第２チューナ部９ｂは、前記第２局部発振器１４ｂ、第３および第４ミキサ部４５ｃ，４５ｄ、第２位相変換部４６ｂ、第３および第４ＡＧＣ部４７ｃ，４７ｄ、第３および第４ΔΣＡ／Ｄ変換器４８ｃ，４８ｄ、第３および第４デジタルフィルタ部４９ｃ，４９ｄならびに第２ＤＳＰ５０ｂを含む。
【０１１０】
第３チューナ部９ｃは、前記第３局部発振器１４ｃ、第５および第６ミキサ部４５ｅ，４５ｆ、第３位相変換部４６ｃ、第５および第６ＡＧＣ部４７ｅ，４７ｆ、第５および第６ΔΣＡ／Ｄ変換器４８ｅ，４８ｆ、第５および第６デジタルフィルタ部４９ｅ，４９ｆならびに第３ＤＳＰ５０ｃを含む。第４チューナ部９ｄは、前記第４局部発振器１４ｄ、第７および第８ミキサ部４５ｇ，４５ｈ、第４位相変換部４６ｄ、第７および第８ＡＧＣ部４７ｇ，４７ｈ、第７および第８ΔΣＡ／Ｄ変換器４８ｇ，４８ｈ、第７および第８デジタルフィルタ部４９ｇ，４９ｈならびに第４ＤＳＰ５０ｄを含む。
【０１１１】
第１〜第４チューナ部９ａ〜９ｄは同様の構成であるので、本実施の形態では、第１チューナ部９ａのみ説明し、第２〜第４チューナ部９ｂ〜９ｄの説明を省略する。以下の説明において、第１〜第４チューナ部９ａ〜９ｄおよび各チューナ部９ａ〜９ｄを構成する各部位を総称する場合、「第１」、「第２」、「第３」、「第４」、「第５」、「第６」、「第７」および「第８」ならびに参照符号において添え字「ａ」、「ｂ」、「ｃ」、「ｄ」、「ｅ」、「ｆ」、「ｇ」および「ｈ」を省略することがある。
【０１１２】
本実施の形態において、第１信号処理手段は第１信号処理部４２に相当し、第２信号処理手段は第２信号処理部４３に相当する。制御手段は、制御部６に相当する。第１フィルタ手段は、ＢＰＦ部１１に相当する。増幅手段は、ＬＮＡ１２に相当する。分配手段は、分配器１３に相当する。発振信号生成手段は、局部発振器１４に相当する。混合信号生成手段は、ミキサ部４５に相当する。利得制御手段は、ＡＧＣ部４７に相当する。変換手段は、ΔΣＡ／Ｄ変換器４８に相当する。第３フィルタ手段は、デジタルフィルタ部４９に相当する。復調手段は、ＤＳＰ５０に相当する。
【０１１３】
第１信号処理部４２の分配器１３は、第１および第２ミキサ部４５ａ，４５ｂに接続されている。第１局部発振器１４ａは、第１ミキサ部４５ａおよび第１位相変換部４６ａに接続されている。第１ミキサ部４５ａは、第１局部発振器１４ａおよび第１ＡＧＣ部４７ａに接続され、第２ミキサ部４５ｂは、第１位相変換部４６ａおよび第２ＡＧＣ部４７ｂに接続されている。
【０１１４】
第１ＡＧＣ部４７ａは、第１ΔΣＡ／Ｄ変換器４８ａに接続され、第２ＡＧＣ部４７ｂは、第２ΔΣＡ／Ｄ変換器４８ｂに接続されている。第１ΔΣＡ／Ｄ変換器４８ａは、第１デジタルフィルタ部４９ａに接続され、第２ΔΣＡ／Ｄ変換器４８ｂは、第２デジタルフィルタ部４９ｂに接続されている。
【０１１５】
第１および第２デジタルフィルタ部４９ａ，４９ｂは、第１ＤＳＰ５０ａに接続されている。第１ＤＳＰ５０ａは、第１復調信号出力端子部２５に接続されている。また第１ＤＳＰ５０ａは、第１局部発振器１４ａ、第１および第２ＡＧＣ部４７ａ，４７ｂならびに第１および第２ΔΣＡ／Ｄ変換器４８ａ，４８ｂに接続されている。制御部６は、第１および第２信号処理部４３に接続されているとともに、第１ＤＳＰ５０ａに接続されている。
【０１１６】
分配器１３は、ＬＮＡ１２から与えられた番組信号を、第１および第２ミキサ部４５ａ，４５ｂに対してチャンネル毎に分配して与える。第１局部発振器１４ａは、予め定める発振周波数の発振信号を生成し、第１ミキサ部４５ａおよび第１位相変換部４６ａに与える。第１ミキサ部４５ａは、分配器１３から与えられる番組信号と、第１局部発振器１４ａから与えられる発振信号とを混合、具体的には乗算することによって、番組信号とは周波数が異なる混合信号を生成し、第１ＡＧＣ部４７ａに与える。
【０１１７】
第１位相変換部４６ａは、第１局部発振器１４ａから与えられる発振信号の位相を９０度変換、具体的には位相を９０度遅延し、元の発振信号と位相が９０度異なる信号を第２ミキサ部４５ｂに与える。第２ミキサ部４５ｂは、分配器１３から与えられる番組信号と、第１位相変換部４６ａから与えられる信号とを混合、具体的には乗算することによって、番組信号とは周波数が異なる混合信号を生成し、第２ＡＧＣ部４７ｂに与える。
【０１１８】
第１ＡＧＣ部４７ａは、後述する第１ＤＳＰ５０ａから与えられる制御信号に基づいて、第１ミキサ部４５ａから与えられる混合信号のレベルが変化しても、出力する混合信号のレベルが一定になるように、増幅器の増幅率、つまり利得を可変制御する。第１ＡＧＣ部４７ａは、出力する混合信号を第１ΔΣＡ／Ｄ変換器４８ａに与える。
【０１１９】
第２ＡＧＣ部４７ｂは、後述する第１ＤＳＰ５０ａから与えられる制御信号に基づいて、第２ミキサ部４５ｂから与えられる混合信号のレベルが変化しても、出力する混合信号のレベルが一定になるように、増幅器の増幅率、つまり利得を可変制御する。第２ＡＧＣ部４７ｂは、出力する混合信号を第２ΔΣＡ／Ｄ変換器４８ｂに与える。
【０１２０】
第１ΔΣＡ／Ｄ変換器４８ａは、第１ＡＧＣ部４７ａから与えられる混合信号を、予め定めるサンプリング周波数でサンプリングした後、アナログ信号からデジタル信号に変換し、デジタル信号を第１デジタルフィルタ部４９ａに与える。第２ΔΣＡ／Ｄ変換器４８ｂは、第２ＡＧＣ部４７ｂから与えられる混合信号を、予め定めるサンプリング周波数でサンプリングした後、アナログ信号からデジタル信号に変換し、デジタル信号を第２デジタルフィルタ部４９ｂに与える。
【０１２１】
第１デジタルフィルタ部４９ａは、第１ΔΣＡ／Ｄ変換器４８ａから与えられるデジタル信号から不要な周波数のデジタル信号を除去し、予め定める第３の周波数帯域のデジタル信号を通過させて、第１ＤＳＰ５０ａに与える。第２デジタルフィルタ部４９ｂは、第２ΔΣＡ／Ｄ変換器４８ｂから与えられるデジタル信号から不要な周波数のデジタル信号を除去し、予め定める第３の周波数帯域のデジタル信号を通過させて、第１ＤＳＰ５０ａに与える。
【０１２２】
第１ＤＳＰ５０ａは、予め定める復調プログラムに従って、第１デジタルフィルタ部４９ａから与えられるデジタル信号と、第２デジタルフィルタ部４９ｂから与えられるデジタル信号とを比較しながら復調処理をする。これによって第１ＤＳＰ５０ａから、第１および第２の実施の形態に比べてさらに高品質の番組情報を含む番組信号を出力することができる。第１ＤＳＰ５０ａから出力される番組信号は、第１復調信号出力端子部２５ａから出力され、たとえば前述の情報記録出力装置１００の第１エンコーダ部１１５に与えられる。
【０１２３】
第１ＤＳＰ５０ａは、番組信号を第１ＤＳＰ５０ａで復調可能なデジタル信号に変換するために適した発振周波数の発振信号を生成するための制御信号を、第１局部発振器１４ａに与える。第１ＤＳＰ５０ａは、第１ΔΣＡ／Ｄ変換器４８ａに伝送される信号のレベルが予め定める信号のレベルになるように、アナログ信号領域における信号のレベル調整をするための制御信号を、第１ＡＧＣ部４７に与える。第１ＤＳＰ５０ａは、第２ΔΣＡ／Ｄ変換器４８ｂに伝送される信号のレベルが予め定める信号のレベルになるように、アナログ信号領域における信号のレベル調整をするための制御信号を、第２ＡＧＣ部４７ｂに与える。
【０１２４】
第１ＤＳＰ５０ａは、第１ＤＳＰ５０ａに適合する復調方式に対応するデジタル信号への変換指令、およびデジタル信号領域における信号のレベル調整をするための制御信号を、第１および第２ΔΣＡ／Ｄ変換器４８ａ，４８ｂに与える。
【０１２５】
制御部６は、予め定める復調プログラムを他の復調プログラムに切換えるプログラム切換え指令、および予め第１ＤＳＰ５０ａに記録されている復調プログラムを書換えるプログラム書換え指令を、第１ＤＳＰ５０ａに与える。また制御部６は、第１ＤＳＰ５０ａに実行させる予め定める復調プログラムを表す復調プログラムデータを、第１ＤＳＰ５０ａに与える。第１ＤＳＰ５０ａは、制御部６から与えられるプログラム切換え指令に基づいて、複数の復調プログラムのうち、一の復調プログラムから他の復調プログラムに切換える。また第１ＤＳＰ５０ａは、制御部６から与えられるプログラム書換え指令および復調プログラムデータに基づいて、第１ＤＳＰ５０ａに記録されている復調プログラムを、制御部６から与えられる復調プログラムに書換える。
【０１２６】
前述のように本発明の第３の実施の形態によれば、Ａ／Ｄ変換器として、ΔΣＡ／Ｄ変換器４８が用いられる。ΔΣＡ／Ｄ変換器４８を用いることによって、第１信号処理部４２のＡＧＣ部４７から出力される混合信号を、高精度にデジタル信号に変換することができる。換言すると、外部から侵入するノイズの影響を受けることなく、高精度のデジタル信号を得ることができる。
【０１２７】
したがって、ＢＰＦ部１１、ＬＮＡ１２およびデジタルフィルタ部４９における前記外部から侵入するノイズを除去するための信号処理には、高い精度を必要とせず、ＢＰＦ部１１、ＬＮＡ１２およびデジタルフィルタ部４９における前記信号処理の負担を軽減することができる。これによって、ＢＰＦ部１１、ＬＮＡ１２およびデジタルフィルタ部４９における消費電力を可及的に低減することができる。
【０１２８】
また本発明の第３の実施の形態によれば、ミキサ部４５は、ダイレクトコンバージョン方式によって、高周波信号の番組信号から直接に低周波信号の混合信号に周波数変換する。ダイレクトコンバージョン方式を用いない場合は、局部発振器１４によってΔΣＡ／Ｄ変換器４８に適した周波数の発振信号を生成し、この発振信号と番組信号とをミキサ部４５で混合することによって、受信した番組信号の周波数を、ΔΣＡ／Ｄ変換器４８に適した周波数に変換させる必要がある。このような周波数変換方式では、不要な周波数の信号も変換されて番組信号に混信する場合があるので、不要な周波数の信号を除去する必要がある。
【０１２９】
これに対して本発明の第３の実施の形態では、高周波信号の番組信号から直接に低周波信号の混合信号に変換するので、不要な周波数の信号が変換されて番組信号に混信することを、可及的に抑制することができる。このように本実施の形態では、不要な周波数の信号が変換されて番組信号に混信することを抑制することができるので、前記不要な周波数の信号を除去するためのフィルタ手段を設ける必要がない。したがって、前記不要な周波数の信号を除去するためのフィルタ手段を設ける場合に比べて、受信装置における部品点数を低減することができるとともに、消費電力を低減することができる。
【０１３０】
図５は、本発明の第４の実施の形態である受信装置６０の構成を示すブロック図である。本実施の形態の受信装置６０は、第２の実施の形態の受信装置３０と類似の構成であるので、異なる部分についてのみ説明し、対応する部分については、同一の参照符を付して説明を省略する。
【０１３１】
受信装置６０は、アンテナ２、チューナモジュール部６１および制御部６を含んで構成される。チューナモジュール部６１は、第１信号処理部６２および第２信号処理部３２を含む。第１信号処理部６２は、ＢＰＦ部１１、ＬＮＡ１２、分配器１３、第１〜第４局部発振器１４ａ〜１４ｄ、第１〜第４ミキサ部１５ａ〜１５ｄ、第１〜第４ＡＧＣ部１６ａ〜１６ｄおよび第１〜第４ＬＰＦ部１７ａ〜１７ｄ、他の局部発振器６５ならびに他のミキサ部６６を含む。チューナモジュール部６１は、第１〜第４チューナ部８ａ〜８ｄを含む。以下の説明において、第１〜第４チューナ部８ａ〜８ｄおよび各チューナ部８ａ〜８ｄを構成する各部位を総称する場合、「第１」、「第２」、「第３」および「第４」ならびに参照符号において添え字「ａ」、「ｂ」、「ｃ」および「ｄ」を省略することがある。
【０１３２】
本実施の形態において、第１信号処理手段は第１信号処理部６２に相当し、第２信号処理手段は第２信号処理部３２に相当する。制御手段は、制御部６に相当する。第１フィルタ手段は、ＢＰＦ部１１に相当する。増幅手段は、ＬＮＡ１２に相当する。他の発振信号生成手段は、他の局部発振器６５に相当する。他の混合信号生成手段は、他のミキサ部６６に相当する。分配手段は、分配器１３に相当する。発振信号生成手段は、局部発振器１４に相当する。混合信号生成手段は、ミキサ部１５に相当する。利得制御手段は、ＡＧＣ部１６に相当する。第２フィルタ手段は、ＬＰＦ部１７に相当する。変換手段は、Ａ／Ｄ変換器２１に相当する。第３フィルタ手段は、デジタルフィルタ部２２に相当する。復調手段は、ＤＳＰ３５に相当する。
【０１３３】
第１信号処理部６２のＬＮＡ１２は、他のミキサ部６６に接続されている。他のミキサ部６６は、他の局部発振器６５および分配器１３に接続されている。他の局部発振器６５は、他のミキサ部６６に接続されている。他の局部発振器６５および他のミキサ部６６は、ＬＮＡ１２の下流側でかつ分配器１３の上流側に配設される。分配器１３は、分配器１３の下流側に配設されるチューナ部８のミキサ部１５に接続されている。本実施の形態において、前記他のミキサ部６６はアクティブ（能動）ミキサ回路によって構成され、前記ミキサ部１５はパッシブ（受動）ミキサ回路によって構成される。
【０１３４】
ＬＮＡ１２は、ＢＰＦ部１１から与えられる番組信号を増幅して、他のミキサ部６６に与える。他の局部発振器６５は、後述するＤＳＰ３５から与えられる制御信号に基づいて、他のミキサ部６６に与えられた番組信号の周波数に応じた予め定める発振周波数の発振信号を生成し、他のミキサ部６６に与える。他のミキサ部６６は、ＬＮＡ１２から与えられる番組信号と、他の局部発振器６５から与えられる発振信号とを混合、具体的には乗算することによって、番組信号とは周波数が異なる混合信号を生成し、分配器１３に与える。
【０１３５】
分配器１３は、他のミキサ部６６から与えられる混合信号を、各チューナ部８ａ〜８ｄのミキサ部１５に対してチャンネル毎に分配して与える。ミキサ部１５は、分配器１３から与えられる混合信号と、ミキサ部１５に接続されている前記局部発振器１４から与えられる発振信号とを混合、具体的には乗算することによって、前記分配器１３から与えられる混合信号とは異なる新たな混合信号を生成し、ＡＧＣ部１６に与える。チューナ部８のＡＧＣ部１６よりも下流側における信号処理は、前述の第１の実施の形態と同様である。
【０１３６】
前述のように本発明の第４の実施の形態によれば、ＢＰＦ部１１の下流側でかつ分配器１３の上流側に配設される他のミキサ部６６によって、番組信号から、この番組信号の周波数よりもＡ／Ｄ変換器２１に適した予め定める周波数に近い周波数の混合信号へと周波数変換した後、さらに分配器１３の下流側に配設されるミキサ部１５によって、混合信号から、この混合信号の周波数よりもＡ／Ｄ変換器２１に適した予め定める周波数に近い周波数の新たな混合信号へと周波数変換する。
【０１３７】
これによって受信した番組信号の周波数、つまり受信周波数を、Ａ／Ｄ変換器２１に適した予め定める周波数へと容易に近づけることができ、Ａ／Ｄ変換器２１に適した周波数の信号をＡ／Ｄ変換器２１に入力することができる。したがってＬＰＦ部１７における前記分配器１３によって分配された信号をＡ／Ｄ変換器２１に適した周波数の信号にするための処理には、高い精度を必要とせず、ＬＰＦ部１７による前記処理の負担を軽減することができる。またＡ／Ｄ変換器２１には、Ａ／Ｄ変換器２１に適した周波数の信号、換言すると信号のレベルが安定した信号が入力されるので、Ａ／Ｄ変換器２１では、信号のレベルを安定化させるための予め定める信号処理をする必要が無く、前記信号処理の負担を軽減することができる。
【０１３８】
これらによって、ＬＰＦ部１７およびＡ／Ｄ変換器２１における消費電力を可及的に低減することができる。本実施の形態では、前記周波数変換によって、受信した番組信号の周波数を１／１０にすることによって、ＬＰＦ部１７およびＡ／Ｄ変換器２１における消費電力を１／１０に低減することができる。
【０１３９】
また本発明の第４の実施の形態によれば、ＬＮＡ１２の下流側でかつ分配器１３の上流側に配設される他のミキサ部６６は、アクティブミキサ回路によって構成され、分配器１３の下流側に配設されるミキサ部１５は、パッシブミキサ回路によって構成される。本実施の形態では、アクティブミキサ回路で構成される他のミキサ部６６で番組信号から混合信号へと周波数変換する。そして、パッシブミキサ回路で構成されるミキサ部１５によって、混合信号から、この混合信号とは異なる新たな混合信号へと周波数変換する。これによって新たな混合信号のレベルを予め定める信号のレベル、たとえばＤＳＰ３５によって復調可能な信号のレベルに安定させることができる。
【０１４０】
このように第１信号処理部６２によって信号のレベルを安定させた混合信号を、第２信号処理部３２に伝送することによって、Ａ／Ｄ変換器２１およびデジタルフィルタ部２２では、信号のレベルを安定化させるための信号処理をする必要が無く、前記信号処理の負担を軽減することができる。これによって、Ａ／Ｄ変換器２１およびデジタルフィルタ部２２における消費電力を可及的に低減することができる。
【０１４１】
本実施の形態では、アクティブミキサ回路によって構成される他のミキサ部６５で、受信した番組信号の周波数をたとえば１／１０にすることによって、第２信号処理部３２のＡ／Ｄ変換器２１およびデジタルフィルタ部２２における消費電力を１／１０に低減することができる。
【０１４２】
前述の各実施の形態における各チューナモジュール部３，３１，４１，６１は、信号処理部を２つ、具体的には第１信号処理部４，４２，６２と第２信号処理部５，３２，４３とを含んで構成されている。このように各チューナモジュール部を、第１信号処理部と第２信号処理部とで構成することによって、各信号処理部毎に、チューナモジュール部の外部から侵入するノイズを除去する対策、および各チューナ部で発生する不具合に対する対策がし易くなる。
【０１４３】
前述の各実施の形態は、本発明の例示に過ぎず、発明の範囲内において構成を変更することができる。前述の第１、第２および第４の実施の形態では、Ａ／Ｄ変換器２１によってアナログ信号からデジタル信号に変換するように構成しているけれども、本発明の他の実施の形態では、ΔΣＡ／Ｄ変換器によってアナログ信号からデジタル信号に変換するように構成してもよい。
【０１４４】
また前述の第４の実施の形態では、他のミキサ部６６をアクティブミキサ回路によって構成し、ミキサ部１５をパッシブミキサ回路によって構成しているけれども、本発明の他の実施の形態では、他のミキサ部６６をパッシブミキサ回路によって構成し、ミキサ部１５をアクティブミキサ回路によって構成してもよく、第４の実施の形態と同様に好適に実施することができる。本発明のさらに他の実施の形態では、他のミキサ部６６およびミキサ部１５のいずれも、アクティブミキサ回路によって構成してもよく、第４の実施の形態と同様に好適に実施することができる。
【０１４５】
前述の第２、第３および第４の実施の形態の各受信装置３０，４０，６０を、情報記録出力装置１００に搭載することによって、第１の実施の形態と同様に、製造コストおよび消費電力を低減することができる情報記録出力装置１００を実現することができる。
【図面の簡単な説明】
【０１４６】
【図１】本発明の第１の実施の形態である受信装置１の構成を示すブロック図である。
【図２】情報記録出力装置１００の構成を示すブロック図である。
【図３】本発明の第２の実施の形態である受信装置３０の構成を示すブロック図である。
【図４】本発明の第３の実施の形態である受信装置４０の構成を示すブロック図である。
【図５】本発明の第４の実施の形態である受信装置６０の構成を示すブロック図である。
【符号の説明】
【０１４７】
１，３０，４０，６０  受信装置
２  アンテナ
３，３１，４１，６１  チューナモジュール部
４，４２，６２  第１信号処理部
５，３２，４３  第２信号処理部
６  制御部
７ａ，７ｂ，７ｃ，７ｄ；８ａ，８ｂ，８ｃ，８ｄ；９ａ，９ｂ，９ｃ，９ｄ  チューナ部
１１  バンドパスフィルタ（ＢＰＦ）部
１２  低雑音増幅器（ＬＮＡ）
１３  分配器
１４ａ，１４ｂ，１４ｃ，１４ｄ  局部発振器
１５ａ，１５ｂ，１５ｃ，１５ｄ；４５ａ，４５ｂ，４５ｃ，４５ｄ，４５ｅ，４５ｆ，４５ｇ，４５ｈ  ミキサ部
１６ａ１６ａ，１６ｂ，１６ｃ，１６ｄ；４７ａ，４７ｂ，４７ｃ，４７ｄ，４７ｅ，４７ｆ，４７ｇ，４７ｈ  自動利得制御（ＡＧＣ）部
１７ａ，１７ｂ，１７ｃ，１７ｄ  低帯域通過フィルタ（ＬＰＦ）部
２１ａ，２１ｂ，２１ｃ，２１ｄ  アナログ／デジタル（Ａ／Ｄ）変換器
２２ａ，２２ｂ，２２ｃ，２２ｄ；４９ａ，４９ｂ，４９ｃ，４９ｄ，４９ｅ，４９ｆ，４９ｇ，４９ｈ  デジタルフィルタ部
２３ａ，２３ｂ，２３ｃ，２３ｄ  ＯＦＤＭ復調部
２５ａ，２５ｂ，２５ｃ，２５ｄ  復調信号出力端子部
３５ａ，３５ｂ，３５ｃ，３５ｄ；５０ａ，５０ｂ，５０ｃ，５０ｄ  デジタル信号処理装置（ＤＳＰ）
４６ａ，４６ｂ，４６ｃ，４６ｄ  位相変換部
４８ａ，４８ｂ，４８ｃ，４８ｄ，４８ｅ，４８ｆ，４８ｇ，４８ｈ  デルタシグマアナログ／デジタル（ΔΣＡ／Ｄ）変換器
６５  他の局部発振器
６６  他のミキサ部
１００  情報記録出力装置
【図１】
0004602185.tif 000002
【図２】
0004602185.tif 000003
【図３】
0004602185.tif 000004
【図４】
0004602185.tif 000005
【図５】
0004602185.tif 000006